(57)【要約】【課題】ユーザが贈答品を特定の相手に贈ろうとする場合において、当該相手が過去一定期間内に第三者から贈られた贈答品と重複しているかどうかを自動的に判定する贈答品判定装置を、提供する【解決手段】サーバ装置１のディスク装置１１内には、個々の贈答品の売買毎に、贈答品の識別情報，贈答品が贈られた相手の識別情報，及び、贈答品が贈られた日付を互いに対応付けたレコードを記録した履歴データベース１３が、格納されている。ギフト仲介サーバは、何れかの端末２，３から何れかの商品の識別情報を選択した旨の情報，及び、その商品の送付先の識別情報を受信すると、ギフト履歴データベース１３を参照し、受信した商品の識別情報，相手の識別情報及び過去一定期間内の日付を対応付けたレコードがあれば、その旨のアラートを応答する。【選択図】  図１
2006285362.tif 000002
【特許請求の範囲】
【請求項１】
ネットワークを介して端末装置と通信可能な贈答品判定装置であって、
個々の贈答品の売買毎に、贈答品の識別するための贈答品識別情報，当該贈答品が贈られた相手を識別するための個人識別情報，及び、当該贈答品が贈られた日付を互いに対応付けてなる多数のレコードから構成された履歴データベースを、格納したディスク装置と、
前記ネットワークを介して端末装置から何れかの贈答品の贈答品識別情報，及び、その贈答品を贈る相手の個人識別情報を受信すると、前記贈答履歴データベースを検索して、前記端末装置から受信した贈答識別情報，個人識別情報及び受信時点から過去一定期間内の日付からなるレコードがあるか否かを調べる検索手段と、
この検索手段によって前記レコードが前記贈答履歴データベース内に見付けられた場合には、前記ネットワークを介して前記端末装置へ警告を応答する警告手段と
を有することを特徴とする贈答品判定装置。
【請求項２】
前記ディスク装置は、更に、個々の個人毎に、個人を識別するための個人識別情報，及び、当該個人が好む商品のジャンルを互いに対応つけてなる多数のレコードから構成された個人情報データベースを格納しており、
前記警告手段が前記警告を応答する場合には、前記個人情報データベースを参照して、前記端末装置から受信した個人識別情報に対応付けられた商品ジャンルを前記端末へ通知する商品ジャンル通知手段を
更に有することを特徴とする請求項１記載の贈答品判定装置。
【請求項３】
前記商品ジャンル通知手段が前記端末装置に通知した商品ジャンルの何れかを指定する情報を当該端末装置から受信した場合には、指定された商品ジャンルに属する複数の商品の識別情報を前記端末へ通知する商品通知手段を
更に有することを特徴とする請求項２記載の贈答品判定装置。
【請求項４】
ネットワークを介して端末装置と通信可能であるとともに、個々の贈答品の売買毎に、贈答品の識別するための贈答品識別情報，当該贈答品が贈られた相手を識別するための個人識別情報，及び、当該贈答品が贈られた日付を互いに対応付けてなる多数のレコードから構成された履歴データベースにアクセス可能なコンピュータに対して、
前記ネットワークを介して端末装置から何れかの贈答品の贈答品識別情報，及び、その贈答品を贈る相手の個人識別情報を受信すると、前記贈答履歴データベースを検索して、前記端末装置から受信した贈答識別情報，個人識別情報及び受信時点から過去一定期間内の日付からなるレコードがあるか否かを調べる検索手段，及び、この検索手段によって前記レコードが前記贈答履歴データベース内に見付けられた場合には、前記ネットワークを介して前記端末装置へ警告を応答する警告手段として機能させる
ことを特徴とする贈答品判定プログラム。
【請求項５】
個々の個人毎に、個人を識別するための個人識別情報，及び、当該個人が好む商品のジャンルを互いに対応つけてなる多数のレコードから構成された個人情報データベースに更にアクセス可能である前記コンピュータに対して、
更に、前記警告手段の機能として前記警告を応答する場合には、前記個人情報データベースを参照して、前記端末装置から受信した個人識別情報に対応付けられた商品ジャンルを前記端末へ通知する商品ジャンル通知手段として機能させる
ことを特徴とする請求項４記載の贈答品判定プログラム。
【発明の詳細な説明】
【技術分野】
【０００１】
本発明は、ユーザが相手への贈り物として購入を検討している贈答品が、当該相手が第三者から贈られた商品とだぶっているか否かを判定する贈答品判定装置，及びコンピュータを掛かる贈答品判定装置として機能させる贈答品判定プログラムに、関する。
【背景技術】
【０００２】
ユーザは、特定の相手へ贈り物として贈るべき商品を店頭又はンラインショッピングのサイトにおいて検討する場合には、その相手の好みを思い出して、その思い出した好みに合致した商品を、最終的に、贈り物として選択する。
【発明の開示】
【発明が解決しようとする課題】
【０００３】
しかしながら、当該相手が複数の送り主から贈答品を贈られる場合、各送り主が何れも当該相手の好みを知り、且つ、その好みに応じた贈答品を贈ろうとするならば、同じ商品が重複して当該相手に贈られてしまう確率が高い。この場合、当該相手方にとっては、たとえ好みに合う商品が贈られた場合であっても、それが複数重複してしまうと、厭きてしまったり（商品が食品である場合等）、２個目以降は全く無駄になってしまう（商品が道具等である場合）ことがある。つまり、当該相手方にとっては、自己の好みに合う範囲内において、様々な種類の商品を贈られることが望ましいのである。そして、このように、自分の好みに合う範囲で様々な種類の商品を贈ってもらうためには、自分が過去に贈られたことのある贈答品の情報を開示しても構わないと考えるユーザもいる。
【０００４】
そこで、本発明は、ユーザが贈答品を特定の相手に贈ろうとする場合において、当該相手が過去一定期間内に第三者から贈られた贈答品と重複しているかどうかを自動的に判定する贈答品判定装置，及びコンピュータを掛かる贈答品判定装置として機能させる贈答品判定プログラムの提供を、課題とする。
【課題を解決するための手段】
【０００５】
上記課題を解決するために案出された本発明による贈答品判定装置は、ネットワークを介して端末装置と通信可能な贈答品判定装置であって、個々の贈答品の売買毎に、贈答品の識別するための贈答品識別情報，当該贈答品が贈られた相手を識別するための個人識別情報，及び、当該贈答品が贈られた日付を互いに対応付けてなる多数のレコードから構成された履歴データベースを、格納したディスク装置と、前記ネットワークを介して端末装置から何れかの贈答品の贈答品識別情報，及び、その贈答品を贈る相手の個人識別情報を受信すると、前記贈答履歴データベースを検索して、前記端末装置から受信した贈答識別情報，個人識別情報及び受信時点から過去一定期間内の日付からなるレコードがあるか否かを調べる検索手段と、この検索手段によって前記レコードが前記贈答履歴データベース内に見付けられた場合には、前記ネットワークを介して前記端末装置へ警告を応答する警告手段と、を有することを特徴とする。
【０００６】
また、本発明による贈答品判定プログラムは、ネットワークを介して端末装置と通信可能であるとともに、個々の贈答品の売買毎に、贈答品の識別するための贈答品識別情報，当該贈答品が贈られた相手を識別するための個人識別情報，及び、当該贈答品が贈られた日付を互いに対応付けてなる多数のレコードから構成された履歴データベースにアクセス可能なコンピュータに対して、前記ネットワークを介して端末装置から何れかの贈答品の贈答品識別情報，及び、その贈答品を贈る相手の個人識別情報を受信すると、前記贈答履歴データベースを検索して、前記端末装置から受信した贈答識別情報，個人識別情報及び受信時点から過去一定期間内の日付からなるレコードがあるか否かを調べる検索手段，及び、この検索手段によって前記レコードが前記贈答履歴データベース内に見付けられた場合には、前記ネットワークを介して前記端末装置へ警告を応答する警告手段として機能させることを、特徴とする。
【０００７】
このように構成されると、贈答品判定装置（コンピュータ）は、端末装置から、贈答品を識別するための贈答品識別情報，その贈答品が贈られる相手を識別するための個人識別情報が送られてくると、その検索手段が、それらの贈答品識別情報及び個人識別情報の組合せに基づいて履歴データベースを検索して、それらの贈答品識別情報，個人識別情報及び過去一定期間内の日付からなるレコードを捜し、そのようなレコードが見つかった場合には、警告手段が、警告を前記端末へ応答する。よって、端末装置を操作するユーザは、過去一定期間内に前記贈答品が第三者から前記相手へ贈られていることを知ることができるので、その贈答品を避けて、他の贈答品を捜すことができる。
【発明の効果】
【０００８】
以上説明したように、本発明によれば、ユーザが贈答品を特定の相手に贈ろうとする場合において、当該相手が過去一定期間内に第三者から贈られた贈答品と重複しているかどうかを自動的に判定することができる。
【発明を実施するための最良の形態】
【０００９】
以下、図面に基づいて、本発明による贈答品判定装置及び贈答品判定プログラムの実施の形態を、説明する。
（システム構成）
図１は、上記贈答品判定装置及び贈答品判定プログラムの実施の形態であるネットワークシステムの概略構成図である。この図１に示されるように、このネットワークシステムは、サービスプロバイダが管理運営するサーバ装置１と、小売商店の各売場に設置されるとともに当該小売商店内に敷設されたＬＡＮ（Local Area Netowork）を通じて上記サーバ装置１に接続された店頭端末２と、インターネットＮを介して上記サーバ装置１に接続された多数（図１においては一つのみ図示）のユーザ端末３とから、構成されている。
【００１０】
このユーザ端末３は、インターネット接続機能を有した通常のパーソナルコンピュータ又はＰＤＡ（Personal Digital Assistance）であり、ウェブブラウザ３３等のプログラムを格納したディスク装置３２，これらプログラムに従った処理を実行するＣＰＵ３０，このＣＰＵ３０による処理結果を表示するためのディスプレイ３１及びこのＣＰＵ３０に対して各種コマンドやデータを入力するために用いられる入力装置（キーボード，マウス等）３４や、図示せぬ通信ハードウェア等から、構成されている。店頭端末２もまた、ユーザ端末３と同様の構成を備えている。
【００１１】
他方、サーバ装置１は、ショッピング履歴データベース１２やギフト履歴データベース１３のような各種データやギフト仲介サーバプログラム１４等の各種プログラムを格納したディスク装置１１，このディスク装置１１から読み出した各種プログラムに従った処理を実行するＣＰＵ１０，ＣＰＵ１０が処理を実行する際に作業領域として用いられるＲＡＭ１５，ＣＰＵ１０がギフト仲介サーバプログラム１４に従った処理を実行した結果として得られた印刷データに基づいて伝票の印刷を行う伝票出力装置１６，等から、構成される。ギフト仲介サーバプログラム１４は、ウェブサーバプログラムと幾つかのアプリケーション（ＣＧＩプログラム，サーブレット等）からなり、図４乃至図８のフローチャートに従って後述する処理を、ＣＰＵ１０に実行させる。
【００１２】
ショッピング履歴データベース１２は、自己が購入した商品についての情報の公開を許諾した各ユーザについて、夫々、商品を購入する毎に、その購入の詳細が一レコードとして登録されるデータベース（個人情報データベース）である。即ち、このショッピング履歴データベース１２の各レコードは、対応する買い物が行われた日付が記録される「日付」フィールド，その買い物を行ったユーザの氏名が記録される「氏名」フィールド，そのユーザの住所電話番号等が記録される「住所電話番号など」フィールド，購入された商品の名が記録される「購入した商品」フィールド，その商品のメーカーの名が記録される「メーカー名」フィールド，その商品が属するジャンルが記録される「商品ジャンル」フィールド，そのユーザから予め申請されたそのユーザが好む商品ジャンルが３種類記録される「趣味嗜好１」乃至「趣味嗜好３」フィールド，その商品の包装について指定されたオプション（例えば、その商品を包む為に用いられたラッピングや包装紙やギフトボックスの種類等）が記録される「オプション」フィールド，その商品の販売価格が記録される「購入価格」フィールド，その商品の購入に適用されたキャンペーンが記録される「キャンペーン」フィールド，その商品の原価が記録される「商品原価」フィールド，その商品が購入された小売業者の店舗名が記録される「購入店情報」，その商品の発送を行った運送業者の名が記録される「配送業者」フィールド，その商品が当該ユーザに配送された日時が記録される「配送日」フィールド及び「配送時間」フィールドから、構成される。上記氏名及び住所電話番号等が、個人識別情報に相当する。
【００１３】
また、ギフト履歴データベース１３は、自己に贈答品として贈られた商品についての情報の公開を許諾した各ユーザについて、夫々、商品が贈られる毎に、その贈り物の詳細が登録されるデータベース（履歴データベース）である。即ち、このギフト履歴データベース１３の各レコードは、対応する商品の購入がなされた日付が記録される「日付」フィールド，その商品の送り先であるユーザの氏名が記録される「宛先」フィールド，その送り先ユーザの住所が記録される「住所電話番号など」フィールド，贈られた商品の名（贈答品識別情報）が記録される「商品」フィールド，その商品のメーカーの名が記録される「メーカー名」フィールド，その商品が属するジャンルが記録される「商品ジャンル」フィールド，その商品の包装について指定されたオプション（例えば、その商品を包む為に用いられたラッピングや包装紙やギフトボックスの種類等）が記録される「オプション」フィールド，その商品の販売価格が記録される「購入価格」フィールド，その商品の原価が記録される「商品原価」フィールド，その商品が購入された小売業者の店舗名が記録される「購入店情報」，その商品の発送を行った運送業者の名が記録される「配送業者」フィールド，その商品が当該ユーザに配送された日時が記録される「配送日」フィールド及び「配送時間」フィールドから、構成される。上記氏名及び住所電話番号等が、個人識別情報に相当する。
【００１４】
なお、自ら購入した商品や自己に贈答品として贈られた商品についての情報の公開を許諾したユーザについては、図示せぬ登録ユーザ管理テーブルに、その氏名、住所等の個人識別情報が、登録されている。
【００１５】
次に、図４乃至図８のフローチャートを参照して、ギフト仲介サーバプログラム１４に従ってＣＰＵ１０が実行する処理の内容を説明する。以下の説明において、動作主体としての、ギフト仲介サーバプログラム１４に従って動作するＣＰＵ１０のことを、「ギフト仲介サーバ」と呼ぶ。
【００１６】
各ユーザ端末３は、夫々、当該サービスプロバイダと契約をしている何れかの小売業者のホームページから、そのネットショッピングページへのリンクアイテムが操作されることによって、このギフト仲介サーバへリクエストメッセージを送信する。また、各店頭端末２は、予め当該サービスプロバイダから提供されている業務用ポータル画面中の特定リンクアイテムが操作されることによって、このギフト仲介サーバへリクエストメッセージを送信する。このようにして送信されたリクエストメッセージを受信することによって、ギフト仲介サーバは、図４の処理をスタートする。
【００１７】
スタート後最初のＳ００１において、ギフト仲介サーバは、アクセス元端末２，３に対する認証処理を実行する。そして、次のＳ００２において、ギフト仲介サーバは、アクセス元端末２，３がユーザ端末３であるか店頭端末２であるかをチェックし、ユーザ端末３であれば処理をＳ００３へ進め、店頭端末２であれば処理をＳ０１５へ進める。
【００１８】
Ｓ０１５では、ギフト仲介サーバは、図９に示す商品選択画面を表示するためのＨＴＭＬデータを、店頭端末２へ送信する（以下、画面を表示するためのＨＴＭＬデータを端末２，３へ送信することを、単に、「画面を表示させる」と表現する。）。この商品選択画面には、選択対象商品のリストを表示する商品選択リストボックス５０と、「買う」ボタン５１及び「ギフト」ボタン５２が、含まれている。この画面を表示させるためのＨＴＭＬデータには、商品選択リストボックス５０中に表示された何れかの商品名が選択された状態でのみ、各ボタン５１，５２を操作可能とするとともに、選択された商品名（商品識別情報）及び操作されたボタンの種別をパラメータとする当該ギフト仲介サーバ宛てのリクエストメッセージを送信させる設定が、組み込まれている。
【００１９】
次のＳ０１６では、ギフト仲介サーバは、商品選択画面中の何れのボタン５１，５２が操作されたかをチェックする（即ち、店頭端末２からのリクエストメッセージを待ち、リクエストメッセージを受信すると、そこに含まれるパラメータが示すボタン５１，５２の種別を識別する）。そして、ギフト仲介サーバは、「買う」ボタン５１が操作された場合には処理を００５へ進める。
【００２０】
これに対して、「ギフト」ボタン５２が操作された場合には、ギフト仲介サーバは、Ｓ１０７において、図１２に示すギフト仲介サービス選択画面を、アクセス元店頭端末２のディスプレイ３１上に表示させる。このギフト仲介サービス選択画面には、「受ける」ボタン５６及び「受けない」ボタン５７が、含まれている。この画面を表示させるためのＨＴＭＬデータには、各ボタン５６，５７が操作された時に、操作されたボタン５６，５７の種別をパラメータとする当該ギフト仲介サーバ宛てのリクエストメッセージを送信させる設定が、組み込まれている。
【００２１】
次のＳ０１８では、ギフト仲介サーバは、アクセス元店頭端末２からのリクエストメッセージを待ち、「受ける」ボタン５６が操作された場合のリクエストメッセージを受信すると処理をＳ１０１へ進め、「受けない」ボタン５７が操作された場合のリクエストメッセージを受信すると処理をＳ１１１へ進める。
【００２２】
一方、Ｓ００３では、ギフト仲介サーバは、図１０に示す商品選択画面をユーザ端末３のディスプレイ３１上に表示させる。この商品選択画面には、夫々チェックボックスに対応付けられた選択対象商品のリストを表示する商品選択フレーム５３と、「買う」ボタン５４及び「ギフト」ボタン５５が、含まれている。そして、この商品選択フレーム５３内に表示されるリストは、マルチページ式となっているので、順繰りに、多数の選択対象商品及びそのリストボックスを表示することができる。この画面を表示させるためのＨＴＭＬデータには、何れかのボタン５４，５５が操作されると、操作されたボタン５４，５５の種別及びその時点でチェックされているチェックボックスに対応付けられた選択対象商品の識別情報をパラメータとして、当該ギフト仲介サーバ宛てのリクエストメッセージを送信させる設定が、組み込まれている。なお、「ギフト」ボタン５５は、何れのチェックボックスもチェックされていない場合であっても操作可能であるが、「買う」ボタン５４は、少なくとも一つのチェックボックスがチェックされていないと操作不可能となっている。
【００２３】
次のＳ００４では、ギフト仲介サーバは、アクセス元ユーザ端末３からのリクエストメッセージを待ち、「買う」ボタン５１が操作された場合のリクエストメッセージを受信すると処理をＳ００５へ進め、「ギフト」ボタン５２が操作された場合のリクエストメッセージを受信すると処理をＳ０１０へ進める。
【００２４】
アクセス元端末が店頭端末２であり且つ商品選択画面（図９）上において「買う」ボタン５１が操作された場合，若しくは、アクセス元端末がユーザ端末３であり且つ商品選択画面（図１０）上において「買う」ボタン５４が操作された場合に実行されるＳ００５では、ギフト仲介サーバは、Ｓ００４又はＳ０１５にて選択された商品の代金を決済するための決済処理を実行する。即ち、アクセス元がユーザ端末３であった場合には、ギフト仲介サーバは、このユーザ端末３を操作するユーザに対して商品代金をクレジットカードを用いて販売元小売店（即ち、リンク元ホームページを運営する小売店）に支払わせるための処理を実行する。また、アクセス元が店頭端末２であった場合には、現金支払いもクレジットカード処理も店頭にてなされるので、支払いの確認の入力のみを求める。
【００２５】
次のＳ００６では、ギフト仲介サーバは、図１１に示すように今回の取引を通じて購入された商品を列挙する終了画面を、アクセス元端末２，３のディスプレイ３１上に表示させる。
【００２６】
次のＳ００７では、ギフト仲介サーバは、今回の取引を通じて購入された商品商品の配送を配送業者へ指示するための伝票を、伝票出力装置１６から印刷出力させるか、若しくは、電子情報として生成させる。オプションの指定（その商品を包む為に用いられたラッピングや包装紙やギフトボックスの使用有無及び種類等）がある場合には、この伝票には、そのオプションの指定が含まれている。
【００２７】
次のＳ００８では、図示せぬ登録ユーザ管理テーブルを参照して、アクセス元端末２，３を操作するユーザが自己に贈答品として贈られた商品についての情報の公開を承諾しているか否かをチェックする。そして、ギフト仲介サーバは、当該ユーザが情報公開を承諾していない場合には、そのまま処理を終了するが、当該ユーザが情報公開を承諾している場合には、Ｓ００９において商品購入の記録をショッピング履歴データベース１２に登録した後に、処理を終了する。
【００２８】
一方、アクセス元端末がユーザ端末３であり且つ商品選択画面（図１０）上において「ギフト」ボタン５５が操作された場合に実行されるＳ０１０では、ギフト仲介サーバは、図１２に示すギフト仲介サービス選択画面を、アクセス元ユーザ端末３のディスプレイ３１上に表示させる。
【００２９】
次のＳ０１１では、ギフト仲介サーバは、アクセス元端末２，３からのリクエストメッセージを待ち、「受ける」ボタン５６が操作された場合のリクエストメッセージを受信すると処理をＳ１０１へ進め、「受けない」ボタン５７が操作された場合のリクエストメッセージを受信すると処理をＳ０１２へ進める。
【００３０】
Ｓ０１２では、ギフト仲介サーバは、Ｓ００３にてユーザ端末３から受信したリクエストメッセージ中に商品の識別情報が含まれていたか否かをチェックする。そして、含まれていない場合には、再度商品を選択させるために、処理をＳ００３へ戻す。これに対して、受信したリクエストメッセージ中に商品の識別情報が含まれていた場合には、商品が選択済みであるとして、処理をＳ０１３へ進める。
【００３１】
Ｓ０１３では、ギフト仲介サーバは、図１３に示す送付先入力画面を、アクセス元ユーザ端末３のディスプレイ３１上に表示させる。この送付先入力画面には、送付先住所・氏名を記入させるためのテキストボックス５８及び「ＯＫ」ボタン５９が、含まれている。この画面を表示させるためのＨＴＭＬデータには、「ＯＫ」ボタン５９が操作されると、テキストボックス５８内に記入された住所・氏名をパラメータとして、当該ギフト仲介サーバ宛てのリクエストメッセージを送信させる設定が、組み込まれている。
【００３２】
次のＳ０１４では、ギフト仲介サーバは、送付先入力画面中の「ＯＫ」ボタン５９が操作されてリクエストメッセージが送信されて来るのを待つ。そして、リクエストメッセージを受信すると、ギフト仲介サーバは、処理をＳ４０１へ進める。
【００３３】
商品選択画面（図９，図１０）上において「ギフト」ボタン５２，５５が押下され、更に、ギフト仲介サービス選択画面（図１２）上において「受ける」ボタン５６が操作された場合に実行されるＳ１０１では、ギフト仲介サーバは、図１３に示す送付先入力画面を、アクセス元端末２，３のディスプレイ３１上に表示させる。
【００３４】
次のＳ１０２では、ギフト仲介サーバは、送付先入力画面中の「ＯＫ」ボタン５９が操作されてリクエストメッセージが送信されて来るのを待つ。そして、リクエストメッセージを受信すると、ギフト仲介サーバは、処理をＳ１０３へ進める。
【００３５】
Ｓ１０３では、ギフト仲介サーバは、Ｓ１０２にて受信したリクエストメッセージ中にパラメータとして含まれている送付先住所及び氏名に該当する人物についてのレコードが、ギフト履歴データベース１３に登録されているか否かを、チェックする。そして、そのようなレコードが登録されていない場合には、ギフト仲介サーバは、処理をＳ１０５へ進める。
【００３６】
これに対して、送付先人物についてのレコードがギフト履歴データベース１３に登録されている場合には、ギフト仲介サーバは、処理をＳ１０４へ進める。このＳ１０４では、ギフト仲介サーバは、ギフト履歴データベース１３中の送付先人物についての全レコードを参照して、Ｓ００３，Ｓ０１５にて何れかの商品が選択され、且つ、当該送付先人物に対して、過去一定期間内に、Ｓ００３，Ｓ０１５にて選択された商品と同じ商品が送付されているか否かを、チェックする（検索手段に相当）。そして、Ｓ００３にて何れかの商品が選択され、且つ、当該送付先人物に対して、過去一定期間内に、Ｓ００３，Ｓ０１５にて選択された商品と同じ商品が送付されている場合には、ギフト仲介サーバは、処理をＳ２０１へ進める。
【００３７】
Ｓ２０１では、ギフト仲介サーバは、同一商品が既にｄｄ日（“ｄｄ”には実際の日数が代入される）に贈られている旨の図１４に示すアラート画面（即ち、警告）を、アクセス元端末２，３のディスプレイ３１上に表示させる（警告手段に相当）。
【００３８】
次のＳ２０２では、ギフト仲介サーバは、ショッピング履歴データベース１２にアクセスする。
【００３９】
次のＳ２０３では、ギフト仲介サーバは、Ｓ１０４にて受信したリクエストメッセージ中にパラメータとして含まれている送付先住所及び氏名に該当する人物についてのレコードが、ショッピング履歴データベース１２に登録されているか否かを、チェックする。そして、そのようなレコードが登録されていない場合には、ギフト仲介サーバは、商品の仲介が不可能であるとして、処理をＳ１１１へ進める。
【００４０】
これに対して、送付先人物についてのレコードがショッピング履歴データベース１２に登録されている場合には、ギフト仲介サーバは、商品を仲介するために、処理をＳ３０１へ進める。
【００４１】
一方、Ｓ００３，Ｓ０１５にて商品が選択されていなかったとＳ１０４にて判断した場合，若しくは、当該送付先人物に対して、過去一定期間内に、Ｓ００３，Ｓ０１５にて選択された商品と同じ商品が送付されていないとＳ１０４にて判断した場合には、ギフト仲介サーバは、処理をＳ１０５へ進める。
【００４２】
Ｓ１０５では、ギフト仲介サーバは、Ｓ１０２にて受信したリクエストメッセージ中にパラメータとして含まれている送付先住所及び氏名に該当する人物についてのレコードが、ショッピング履歴データベース１３に登録されているか否かを、チェックする。そして、そのようなレコードが登録されていない場合には、ギフト仲介サーバは、処理をＳ１１１へ進める。
【００４３】
Ｓ１１１では、ギフト仲介サーバは、ギフト仲介ができない旨の図１５に示すアラート画面を、アクセス元端末２，３のディスプレイ３１上に表示させる。
【００４４】
次のＳ１１２では、ギフト仲介サーバは、Ｓ００３，Ｓ０１５にて何れかの商品が選択されているか否かをチェックする。そして、何れの商品も選択されていない場合には、そのまま処理を終了する。これに対して、何れかの商品が選択されている場合には、ギフト仲介サーバは、Ｓ１１３において、図１６に示す購入確認画面を、アクセス元端末２，３のディスプレイ３１上に表示させる。この購入確認画面には、Ｓ００３，Ｓ０１５にて選択された商品を列挙するためのリストボックス６０，これら商品の代金額を表示した「ＯＫ」ボタン６１，及び「戻る」ボタン６２が、含まれている。この購入画面を表示させるためのＨＴＭＬデータには、各ボタン６１，６２が操作された時にそのボタンの識別情報をパラメータとする当該ギフト仲介サーバ宛てのリクエストメッセージを送信させる設定が、組み込まれている。
【００４５】
次のＳ１１４では、ギフト仲介サーバは、アクセス元端末２，３からのリクエストメッセージを待ち、「ＯＫ」ボタン６１が操作された場合のリクエストメッセージを受信すると、処理をＳ４０１へ進め、「戻る」ボタン６２が操作された場合のリクエストメッセージを受信すると、処理をＳ００２へ戻す。
【００４６】
一方、Ｓ１０２にて受信したリクエストメッセージ中にパラメータとして含まれている送付先住所及び氏名に該当する人物についてのレコードが、ショッピング履歴データベース１３に登録されていないと、Ｓ１０５にて判定した場合には、ギフト仲介サーバは、Ｓ１０６において、送付先人物についての全レコードにおける「趣味嗜好１」乃至「趣味嗜好３」フィールドを参照する。
【００４７】
次のＳ１０７では、ギフト仲介サーバは、Ｓ００３，Ｓ０１５にて商品が選択されていなかったか、若しくは、Ｓ００３，Ｓ０１５にて選択された商品が、Ｓ１０６にて参照した各フィールドに記載されたカテゴリに合致しているか否かをチェックする。そして、Ｓ００３，Ｓ０１５にて商品が選択されていたが、選択された商品がＳ１０６にて参照した各フィールドに記載されたカテゴリに合致していない場合には、ギフト仲介サーバは、Ｓ１１０において、送付先人物の好みに合った商品を表示する旨の図１７に示すアラート画面を、アクセス元端末２，３のディスプレイ３１上に表示させた後に、処理をＳ３０１へ進める。
【００４８】
これに対して、Ｓ００３，Ｓ０１５にて商品が選択されていなかったか、若しくは、Ｓ００３，Ｓ０１５にて選択された何れかの商品がＳ１０６にて参照した各フィールドに記載されたカテゴリに合致している場合には、ギフト仲介サーバは、Ｓ１０８において、図１８に示す購入画面を、アクセス元端末２，３のディスプレイ３１上に表示させる。この購入画面には、Ｓ００３，Ｓ０１５にて選択された商品のうち、Ｓ１０６にて参照した各フィールドに記載されたカテゴリに合致している商品のみを列挙したリストボックス６３及び「購入する」ボタン６４が、含まれている。この購入画面を表示させるためのＨＴＭＬデータには、「購入する」ボタン６４が操作された時にリストボックス６３内で選択された商品名をパラメータとする当該ギフト仲介サーバ宛てのリクエストメッセージを送信させる設定が、組み込まれている。
【００４９】
次のＳ１０９では、ギフト仲介サーバは、アクセス元端末２，３からのリクエストメッセージを待ち、これを受信すると、処理をＳ３０１へ進める。
【００５０】
Ｓ３０１では、ギフト仲介サーバは、図１９に示すジャンル選択画面を、アクセス元端末２，３のディスプレイ３１上に表示させる（商品ジャンル通知手段に相当）。このジャンル選択画面には、送付先住所及び氏名に該当する人物についてのものとしてＳ１０５又はＳ２０３にてショッピング履歴データベース１２から捜したレコード中の「趣味・嗜好１」フィールド乃至「趣味・嗜好」フィールドに夫々記録された商品ジャンルをチェックボックスに夫々対応付けて列挙したリストボックス６５，「上記カテゴリへ」ボタン６６及び「購入する」ボタン６７が、含まれている。そして、この画面を表示させるためのＨＴＭＬデータには、リストボックス６５中に表示されている何れかの商品ジャンルに対応したチェックボックスがチェックされた状態で「上記カテゴリへ」ボタン６６が操作された場合には、チェックされたチェックボックスに対応したジャンルをパラメータとするリクエストメッセージを当該ギフト仲介サーバへ送信させる設定，及び、「購入する」ボタン６７が操作された場合には、その旨のパラメータを含んだリクエストメッセージを当該ギフト仲介サーバへ送信させる設定が、組み込まれている。
【００５１】
次のＳ３０２では、ギフト仲介サーバは、アクセス元端末２，３からのリクエストメッセージを待ち、「購入する」ボタン６７が操作された場合のリクエストメッセージを受信した場合には、購入意思の再確認がなされたものとして、処理をＳ３０７へ進め、「上記カテゴリへ」ボタン６６が操作された場合のリクエストメッセージを受信した場合には、商品の追加選択のために、処理をＳ３０３へ進める。
【００５２】
Ｓ３０３では、ギフト仲介サーバは、上記送付先住所及び氏名に該当する人物に関してショッピング履歴データベース１２及びギフト履歴データベース１３に登録されている全レコードを参照して、当該送付先人物が過去一定期間内に自ら購入し又は第三者によって贈られた商品を全て特定する。そして、Ｓ３０２にて受信したリクエストメッセージ中にパラメータとして含まれるジャンルに含まれる全商品のうち上記特定した商品を除いた商品を列挙する選択画面を、アクセス元端末２，３のディスプレイ３１上に表示させる（商品通知手段に相当）。図２０に示すように、この選択画面には、夫々チェックボックスを付して商品を列挙するリストボックス６８，「追加購入」ボタン６９及び「戻る」ボタン７０が、含まれている。そして、この選択画面を表示させるためのＨＴＭＬデータには、リストボックス６８中に表示されている何れかの商品に対応したチェックボックスがチェックされた状態で「追加購入」ボタン６９が操作された場合には、チェックされたチェックボックスに対応した商品名をパラメータとするリクエストメッセージを当該ギフト仲介サーバへ送信させる設定，及び、「戻る」ボタン７０が操作された場合には、その旨のパラメータを含んだリクエストメッセージを当該ギフト仲介サーバへ送信させる設定が、組み込まれている。
【００５３】
次のＳ３０４では、ギフト仲介サーバは、アクセス元端末２，３からのリクエストメッセージを待ち、「戻る」ボタン７０が操作された場合のリクエストメッセージを受信した場合には、処理をＳ００２へ戻し、「追加購入」ボタン６９が操作された場合のリクエストメッセージを受信した場合には、処理をＳ３０５へ進める。
【００５４】
Ｓ３０５では、ギフト仲介サーバは、図２１（Ｓ１０９を経由した場合）又は図２２（Ｓ２０３を経由した場合）に示す追加購入画面を、アクセス元端末２，３のディスプレイ３１上に表示させる。この購入画面には、Ｓ１０９にて購入の意思表示がなされた商品（Ｓ１０９を経由した場合に限る）及びＳ３０４にて追加購入の意思表示がなされた商品をリストアップしたリストボックス７１及び「購入する」ボタン７２が、含まれている。この購入画面を表示させるためのＨＴＭＬデータには、「購入する」ボタン７２が操作された時にその旨をパラメータとする当該ギフト仲介サーバ宛てのリクエストメッセージを送信させる設定が、組み込まれている。
【００５５】
次のＳ３０６では、ギフト仲介サーバは、アクセス元端末２，３からのリクエストメッセージを待ち、これを受信すると、処理をＳ３０７へ進める。
【００５６】
Ｓ３０７では、ギフト仲介サーバは、上記送付先住所及び氏名に該当する人物に関してショッピング履歴データベース１２に登録されている全レコードの「オプション」フィールドを参照する。
【００５７】
次のＳ３０８では、ギフト仲介サーバは、Ｓ３０７での参照結果に基づいて、当該送付先人物が過去において自ら商品を購入した時にオプションを指定したことがあるか否かをチェックする。そして、過去にオプションを指定したことがなければ、処理をＳ４０１へ進め、過去にオプションを指定したことがあれば、処理をＳ３０９へ進める。
【００５８】
Ｓ３０９では、ギフト仲介サーバは、図２３に示すオプション選択画面を、アクセス元端末２，３のディスプレイ３１上に表示させる。このオプション選択画面には、Ｓ３０７での参照によって確認されたオプションをチェックボックスに夫々対応付けて列挙したリストボックス７３，「選択する」ボタン７４及び「しない」ボタン７５が、含まれている。そして、この画面を表示させるためのＨＴＭＬデータには、リストボックス７３中に表示されている何れかのオプションに対応したチェックボックスがチェックされた状態で「選択する」ボタン７４が操作された場合には、チェックされたチェックボックスに対応したオプションをパラメータとするリクエストメッセージを当該ギフト仲介サーバへ送信させる設定，及び、「しない」ボタン７５が操作された場合には、その旨のパラメータを含んだリクエストメッセージを当該ギフト仲介サーバへ送信させる設定が、組み込まれている。
【００５９】
次のＳ３１０では、ギフト仲介サーバは、アクセス元端末２，３からのリクエストメッセージを待ち、「選択する」ボタン７４が操作された場合のリクエストメッセージを受信した場合には、処理をＳ３１１へ進め、「しない」ボタン７５が操作された場合のリクエストメッセージを受信した場合には、処理をＳ３１２へ進める。
【００６０】
Ｓ３１１では、ギフト仲介サーバは、図２４（Ｓ１０９を経由し且つＳ３０６を経由しなかった場合），図２５（Ｓ１０９及びＳ３０６を経由した場合）又は図２６（Ｓ１０９を経由せず且つＳ３０６を経由した場合）に示す購入確認画面を、アクセス元端末２，３のディスプレイ３１上に表示させる。この購入確認画面には、Ｓ３０６にて購入の意思表示がなされた商品及びＳ３１０にて選択の意思表示がなされたオプションを列挙したリストボックス６０，これら商品及びオプションの代金にギフト仲介サービスの手数料を加算した額を表示した「ＯＫ」ボタン６１，及び「戻る」ボタン６２が、含まれている。この購入画面を表示させるためのＨＴＭＬデータには、各ボタン６１，６２が操作された時にそのボタンの識別情報をパラメータとする当該ギフト仲介サーバ宛てのリクエストメッセージを送信させる設定が、組み込まれている。Ｓ３１１を完了すると、ギフト仲介サーバは、処理をＳ３１３へ進める。
【００６１】
一方、Ｓ３１２では、ギフト仲介サーバは、購入確認画面を、アクセス元端末２，３のディスプレイ３１上に表示させる。この購入確認画面は、Ｓ３１１にて表示されるものと同じ画面構成を有するが、そのリストボックス６０には、オプションがリストアップされておらず、「ＯＫ」ボタン６１に表示される金額は、商品の代金にギフト仲介サービスの手数料を加算した額となっている。Ｓ３１２を完了すると、ギフト仲介サーバは、処理をＳ３１３へ進める。
【００６２】
Ｓ３１３では、ギフト仲介サーバは、アクセス元端末２，３からのリクエストメッセージを待ち、「ＯＫ」ボタン６１が操作された場合のリクエストメッセージを受信すると、処理をＳ４０１へ進め、「戻る」ボタン６２が操作された場合のリクエストメッセージを受信すると、処理をＳ００２へ戻す。
【００６３】
Ｓ４０１では、ギフト仲介サーバは、アクセス元端末が店頭端末２である場合には、店頭決済が完了したかどうか問い合わせ、店頭決済が完了した旨が応答された場合には、処理をＳ４０３へ進め、アクセス元端末がユーザ端末３である場合には、Ｓ４０２において、決済処理（例えば、クレジットカードを用いた決済）を行った後に、処理をＳ４０３へ進める。
【００６４】
Ｓ４０３では、ギフト仲介サーバは、図１１（Ｓ３１１にて表示された購入確認画面が図２４の通りであった場合），図２７（Ｓ３１１にて表示された購入確認画面が図２５の通りであった場合）又は図２８（Ｓ３１１にて表示された購入確認画面が図２６の通りであった場合）に示すように今回の取引を通じて購入された商品又は／及びオプションを列挙する終了画面を、アクセス元端末２，３のディスプレイ３１上に表示させる。
【００６５】
次のＳ４０４では、ギフト仲介サーバは、今回の取引を通じて購入された商品商品の配送を配送業者へ指示するための伝票を、伝票出力装置１６から印刷出力させるか、若しくは、電子情報として生成させる。オプションが選択されている場合には、この伝票には、そのオプションの指定が含まれている。
【００６６】
次のＳ４０５では、図示せぬ登録ユーザ管理テーブルを参照して、送付先人物が自己に贈答品として贈られた商品についての情報の公開を承諾しているか否かをチェックする。そして、ギフト仲介サーバは、当該送付先人物が情報公開を承諾していない場合には、そのまま処理を終了するが、当該送付先人物が情報公開を承諾している場合には、Ｓ４０６において商品購入の記録をギフト履歴データベース１３に登録した後に、処理を終了する。
【００６７】
次に、以上のようにプログラミングされたギフト仲介サーバの動作例を示す。
（例１）ユーザ端末３からギフト仲介サーバにアクセスして、ギフト仲介を利用してギフトを贈る場合
この場合、認証（Ｓ００１）が完了すると、ユーザ端末３のディスプレイ３１上には、図１０に示す商品選択画面が表示される（Ｓ００３）。ここで、ユーザが入力装置３４を用いて「ギフト」ボタン５５を操作すると、図１２に示すギフト仲介サービス選択画面が表示される（Ｓ０１０）。ここで、ユーザが「受ける」ボタン５６を操作すると、図１３に示す送付先入力画面が表示される（Ｓ１０１）。ここで、ユーザが、テキストボックスに送付先の住所氏名等を記入した後に「ＯＫ」ボタン５９を操作すると、ギフト仲介サーバは、送付先人物の商品購入の履歴をショッピング履歴データベース１２及びギフト履歴データベース１３内において調べる（Ｓ１０３，Ｓ１０４，Ｓ１０５）。
【００６８】
そして、当該ユーザが選択した商品が過去一定期間内に第三者から当該送付先人物に贈られておらず且つ当該送付先人物についての情報がショッピング履歴データベース１２に登録されていない場合（Ｓ１０３：ＮＯ又はＳ１０３：ＹＥＳ且つＳ１０４：ＮＯ，且つＳ１０５：ＮＯ）、ギフト仲介ができない旨の画面（図１５）がディスプレイ３１上に表示されて（Ｓ１１１）、通常のオンライン取引が行われる（Ｓ１１２〜）。
【００６９】
これに対して、当該ユーザが選択した商品が過去一定期間内に第三者から当該送付先人物に贈られている場合（Ｓ１０３：ＹＥＳ，且つＳ１０４：ＹＥＳ）、その旨のアラート画面（図１４）がディスプレイ３１上に表示された後（Ｓ２０１）、送付先人物についてのレコードがショッピング履歴データベース１２に登録されているか否かがギフト仲介サーバによって調べられる（Ｓ２０３）。そして、当該送付先人物についてのレコードが登録されていなければ、ギフト仲介ができない旨の画面（図１５）がディスプレイ３１上に表示されて（Ｓ１１１）、通常のオンライン取引が行われる（Ｓ１１２〜）。また、当該送付先人物についてのレコードが登録されていれば、Ｓ３０１以下のギフト仲介処理が行われる。
【００７０】
また、当該送付先人物に対して過去一定期間内において当該ユーザが選択した商品が贈られておらず且つ当該送付先人物についての情報がショッピング履歴データベース１２に登録されている場合（Ｓ１０３：ＮＯ又はＳ１０３：ＹＥＳ且つＳ１０４：ＮＯ，且つＳ１０５：ＹＥＳ）、ショッピング履歴データベース１２に登録されている当該送付先人物の趣味・嗜好が当該ユーザが選択した商品に合致しているか否かがチェックされ、選択された商品が当該送付先人物の趣味・嗜好に合致していなければ（Ｓ１０７：ＮＯ）、その旨のアラート画面（図１７）がディスプレイ３１上に表示された後（Ｓ１１０）、Ｓ３０１以下のギフト仲介処理が行われる。また、選択された商品が当該送付先人物の趣味・嗜好に合致していれば（Ｓ１０７：ＹＥＳ）、合致した商品のみが図１８の購入画面に表示され（Ｓ１０８）、それに対してユーザが「購入する」ボタン６４を操作すると、追加の商品を推薦するために、Ｓ３０１以下のギフト仲介処理が行われる。
【００７１】
ギフト仲介処理においては、先ず、当該送付先人物が趣味・嗜好とする各商品ジャンルへのリンクが貼られたジャンル選択画面（図１９）が表示される（Ｓ３０１）。ここで、当該ユーザが選択した商品が当該送付先人物の趣味・嗜好に合致していると判断された場合（Ｓ１０７：ＮＯ）であって、当該ユーザが更に商品を追加する必要がないと判断した場合には、購入の意思の再確認のために「購入する」ボタン６７を操作すれば（Ｓ３０２：購入する）、直ちにオプションの選択へ進む（Ｓ３０７）。
【００７２】
これに対して、商品を追加購入しようとする場合、及び、当初に選択した商品が過去一定期間内に第三者から当該送付先人物に贈られているか（Ｓ１０４：ＹＥＳ）当該送付先人物の趣味・嗜好に合致していなかった為に（Ｓ１０７：ＮＯ）商品を選択し直す場合には、リストボックス６５内に表示された何れかのジャンルに付されたチェックボックスにチェックした上で「上記カテゴリへ」ボタン６６を操作すれば（Ｓ３０２：上記カテゴリへ）、そのジャンルに属する商品を選択するための選択画面（図２０）がディスプレイ３１上に表示される（Ｓ３０３）。そこで、リストボックス６８内に表示されている何れかの商品に付されたチェックボックスをチェックした上で、「追加購入」ボタン６９を操作すれば（Ｓ３０４：追加購入）、選択した全ての商品が図２１〜図２３の追加購入画面に表示され（Ｓ３０５）、それに対してユーザが「購入する」ボタン６４を操作すると、オプションの選択へ進む（Ｓ３０７）。
【００７３】
オプションの選択においては、当該送付先人物に関してショッピング履歴データベース１２が参照され（Ｓ３０７）、当該送付先人物が過去にオプションを選択していた場合には、オプション選択画面（図２３）がディスプレイ３１上に表示される（Ｓ３０７）。そこで、ユーザが、リストボックス７３内に表示された何れかのオプションに付されたチェックボックスをチェックした上で「選択する」ボタン７４を操作すると、そのオプションが選択される。何れの場合においても、購入の意思表示がなされた商品又は／及び選択されたオプション及びその代金総計が購入確認画面（図２４〜図２５）に表示される。そこで、ユーザが、「ＯＫ」ボタン６１を操作すると、購入内容が最終的に確定し、クレジットカードによる決済処理がなされ（Ｓ４０２）、終了画面（図１１，図２６，図２７）が表示され（Ｓ４０３）、伝票が出力される（Ｓ４０４）。
（例２）店頭端末２からギフト仲介サーバにアクセスして、ギフト仲介を利用してギフトを贈る場合
この店頭端末２は、実際には、ユーザからの指示に応じて、小売店の販売員によってなされる一方、店頭端末２は、ユーザが店頭にて商品を購入する小売店の販売員によって操作される。
【００７４】
この場合、認証（Ｓ００１）が完了すると、店頭端末２のディスプレイ３１上には、図９に示す商品選択画面が表示される（Ｓ０１５）。ここで、ユーザが入力装置３４を用いて「ギフト」ボタン５２を操作すると、図１２に示すギフト仲介サービス選択画面が表示される（Ｓ０１７）。後の動作は、上述したユーザ端末３でものと同じであるが、最終的な決済に際しては、店頭決済が完了したかどうかを問う画面がディスプレイ３１上に表示される（Ｓ４０１）。これに応じて、販売員は、各購入確認画面（図１６，図２４〜図２５）に表示された代金額をユーザに対して請求し、現金支払い又はクレジットカード決済によって請求額の精算を完了した後に、店頭決済を完了した旨をギフト仲介サーバへ応答する（Ｓ４０１）。
【００７５】
以上のように、本実施形態によると、或る人に贈答品を贈ろうとするユーザがユーザ端末３又は販売員に指示して店頭端末２からギフト仲介サーバにアクセスし、ギフト仲介サービスを受けることを選択しさえすれば、自らが選択した商品が送付先の人物に対して過去一定期間中に第三者によって贈られているか、当該送付先人物の趣味・嗜好に適合しているかどうかが判定され、送付先人物に対して過去一定期間中に第三者から贈られている場合や送付先人物の趣味・嗜好に適合していなければ、当該送付先人物の趣味・嗜好に適合した商品が提示されるので、当該送付先人物に対して過去一定期間中に第三者によって贈られておらず且つ当該送付先人物の趣味・嗜好に合致した商品を、贈ることが可能になる。
【図面の簡単な説明】
【００７６】
【図１】本発明の一実施形態としてのネットワークシステムのブロック図
【図２】ショッピング履歴データベースのデータ構造を示す表
【図３】ギフト履歴データベースのデータ構造を示す表
【図４】ギフト仲介サーバによる処理内容を示すフローチャート
【図５】ギフト仲介サーバによる処理内容を示すフローチャート
【図６】ギフト仲介サーバによる処理内容を示すフローチャート
【図７】ギフト仲介サーバによる処理内容を示すフローチャート
【図８】ギフト仲介サーバによる処理内容を示すフローチャート
【図９】商品選択画面を示す図
【図１０】商品選択画面を示す図
【図１１】終了画面を示す図
【図１２】ギフト仲介サービス選択画面を示す図
【図１３】送付先入力画面を示す図
【図１４】アラート画面を示す図
【図１５】アラート画面を示す図
【図１６】購入額人画面
【図１７】アラート画面を示す図
【図１８】購入画面を示す図
【図１９】ジャンル選択画面
【図２０】選択画面を示す図
【図２１】追加購入画面を示す図
【図２２】追加購入画面を示す図
【図２３】オプション選択画面を示す図
【図２４】購入確認画面を示す図
【図２５】購入確認画面を示す図
【図２６】購入確認画面を示す図
【図２７】終了画面を示す図
【図２８】終了画面を示す図
【符号の説明】
【００７７】
１      サーバ装置
２      店頭端末
３      ユーザ端末
１０      ＣＰＵ
１１      ディスク装置
１２      ショッピング履歴データベース
１３      ギフト履歴データベース
１４      ギフト仲介サーバプログラム
３０      ＣＰＵ
３１      ディスプレイ
３２      ディスク装置
３３      ブラウザプログラム
３４      入力装置
【図１】
2006285362.tif 000003
【図２】
2006285362.tif 000004
【図３】
2006285362.tif 000005
【図４】
2006285362.tif 000006
【図５】
2006285362.tif 000007
【図６】
2006285362.tif 000008
【図７】
2006285362.tif 000009
【図８】
2006285362.tif 000010
【図９】
2006285362.tif 000011
【図１０】
2006285362.tif 000012
【図１１】
2006285362.tif 000013
【図１２】
2006285362.tif 000014
【図１３】
2006285362.tif 000015
【図１４】
2006285362.tif 000016
【図１５】
2006285362.tif 000017
【図１６】
2006285362.tif 000018
【図１７】
2006285362.tif 000019
【図１８】
2006285362.tif 000020
【図１９】
2006285362.tif 000021
【図２０】
2006285362.tif 000022
【図２１】
2006285362.tif 000023
【図２２】
2006285362.tif 000024
【図２３】
2006285362.tif 000025
【図２４】
2006285362.tif 000026
【図２５】
2006285362.tif 000027
【図２６】
2006285362.tif 000028
【図２７】
2006285362.tif 000029
【図２８】
2006285362.tif 000030